(57)【要約】【課題】視覚障害者が表示面に接触することなく、表示面への接触により実行される制御を把握可能にすること。【解決手段】実施形態に係る操作装置は、局部洗浄機能を有する便座装置が備えられたトイレルーム内に設置され、便座装置を操作するための操作装置であって、表示部と、枠部と、接触検知部と、送信部とを備える。表示部は、便座装置に対する制御指示に関連するオブジェクトが表示される。枠部は、表示部の外周に設けられる。接触検知部は、表示部に対する使用者の接触を検知する。送信部は、表示部に表示されたオブジェクトへの使用者の接触が接触検知部により検知された場合に、オブジェクトと関連する制御指示により便座装置を操作するための信号を送信する。また、枠部には、表示部においてオブジェクトが表示された位置の近傍に、オブジェクトと関連する制御指示を示す触覚記号または点字である物理的記号が設けられる。【選択図】図３
2020119674.tif 000002
【特許請求の範囲】
【請求項１】
局部洗浄機能を有する便座装置が備えられたトイレルーム内に設置され、前記便座装置を操作するための操作装置であって、
前記操作装置は、
前記便座装置に対する制御指示に関連するオブジェクトが表示される表示部と、
前記表示部の外周に設けられる枠部と、
前記表示部に対する使用者の接触を検知する接触検知部と、
前記表示部に表示されたオブジェクトへの前記使用者の接触が前記接触検知部により検知された場合に、前記オブジェクトと関連する前記制御指示により前記便座装置を操作するための信号を送信する送信部と、
を備え、
前記枠部には、
前記表示部において前記オブジェクトが表示された位置の近傍に、前記オブジェクトと関連する前記制御指示を示す触覚記号または点字である物理的記号が設けられることを特徴とする操作装置。
【請求項２】
前記表示部は、
前記便座装置に対する複数の制御指示の各々に対応する複数のオブジェクトを表示し、
前記枠部には、
前記複数の制御指示のうち、局部吐水の開始指示および停止指示を含む基本制御指示に関連する前記オブジェクトの近傍に前記物理的記号が設けられることを特徴とする請求項１に記載の操作装置。
【請求項３】
前記表示部は、
前記制御指示に関連する視覚障害者用のオブジェクトを配置し、
前記枠部には、
前記視覚障害者用のオブジェクトの近傍に前記物理的記号が設けられることを特徴とする請求項１または請求項２に記載の操作装置。
【請求項４】
前記表示部は、
前記制御指示に関連する健常者用のオブジェクトを表示し、前記枠部における前記物理的記号が設けられた位置からの距離が、前記制御指示に関連する健常者用のオブジェクトよりも近い位置に前記視覚障害者用のオブジェクトを配置することを特徴とする請求項３に記載の操作装置。
【請求項５】
前記表示部は、
前記制御指示に関連する健常者用のオブジェクトに比して透明度が高い前記視覚障害者用のオブジェクトを表示することを特徴とする請求項３または請求項４に記載の操作装置。
【請求項６】
前記視覚障害者用のオブジェクトへの前記使用者の接触が前記接触検知部により検知された場合に、音声による前記使用者への所定の情報の通知を行うことを特徴とする請求項３〜５のいずれか１項に記載の操作装置。
【請求項７】
局部洗浄機能を有する便座装置が備えられたトイレルーム内に設置され、前記便座装置を操作するための操作装置であって、
前記操作装置は、
前記便座装置に対する制御指示に関連するオブジェクトが表示される表示部と、
前記表示部の外周に設けられる枠部と、
前記表示部に対する使用者の接触を検知する接触検知部と、
前記表示部に表示されたオブジェクトへの前記使用者の接触が前記接触検知部により検知された場合に、前記オブジェクトと関連する前記制御指示により前記便座装置を操作するための信号を送信する送信部と、
を備え、
前記枠部には、
前記表示部に沿って前記オブジェクトの表示位置を通る第１の方向に交差する位置に触覚記号または点字である物理的記号が設けられることを特徴とする操作装置。
【請求項８】
前記枠部には、
前記第１の方向に交差する位置に第１の物理的記号と、前記表示部に沿って前記オブジェクトの表示位置を通る第２の方向に交差する位置に第２の物理的記号とが設けられることを特徴とする請求項７に記載の操作装置。
【請求項９】
前記枠部には、
組合せにより前記オブジェクトの制御内容を示す前記第１の物理的記号と前記第２の物理的記号とが設けられることを特徴とする請求項８に記載の操作装置。
【発明の詳細な説明】
【技術分野】
【０００１】
開示の実施形態は、操作装置に関する。
【背景技術】
【０００２】
従来、トイレルームに設置された局部洗浄機能を有する便座装置を操作するためのタッチパネル式の装置が知られている（例えば、特許文献１、特許文献２参照）。
【０００３】
このような、タッチパネル式の装置は、その装置の画面に表示されたオブジェクトに使用者が触れたことを感知し、そのオブジェクトに関連する制御指示を便座装置に実行させる。
【先行技術文献】
【特許文献】
【０００４】
【特許文献１】特開平１０−１１０４５８号公報
【特許文献２】特開２００８−００２１５１号公報
【特許文献３】登録実用新案第３０９７７９１号公報
【発明の概要】
【発明が解決しようとする課題】
【０００５】
しかしながら、タッチパネル式の装置の場合、視覚障害者が操作することが難しいといった問題がある。例えば、全盲の人など、装置の画面に表示されるオブジェクトを視覚によって認識することが困難な視覚障害者の方がタッチパネル式の操作装置を使用して便座装置を操作する場合、所望の制御が実行されるまで、操作装置の表示部（表示面）を手探りで触っていかなければならず、意図しない制御を実行してしまうという課題がある。このため、タッチパネル式の装置においては、視覚障害者が表示面に接触することなく、表示面への接触により実行される制御を把握可能にすることが課題となる。
【０００６】
開示の実施形態は、視覚障害者が表示面に接触することなく、表示面への接触により実行される制御を把握可能にすることができる操作装置を提供することを目的とする。
【課題を解決するための手段】
【０００７】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連するオブジェクトが表示される表示部と、前記表示部の外周に設けられる枠部と、前記表示部に対する使用者の接触を検知する接触検知部と、前記表示部に表示されたオブジェクトへの前記使用者の接触が前記接触検知部により検知された場合に、前記オブジェクトと関連する前記制御指示により前記便座装置を操作するための信号を送信する送信部と、を備え、前記枠部には、前記表示部において前記オブジェクトが表示された位置の近傍に、前記オブジェクトと関連する前記制御指示を示す触覚記号または点字である物理的記号が設けられることを特徴とする。
【０００８】
視覚障害者、特に全盲の人は、便座に着座した状態で触れる位置にあるトイレルーム内の壁面を触りながら、操作装置の表示部（表示面）の外側に形成された枠部（フレーム）を触ることで操作装置の全体形状を把握してから当たりを付けることで操作装置を使用することが多い。例えば、本件発明者らは、全盲の人々にトイレルーム内に設けられた便座装置を操作するための操作装置の使用状況についてヒアリングを行った。その結果、全盲の人々は、便座に着座した状態で触れる位置にあるトイレルーム内の壁面を触りながら、操作装置の表示部の外側に形成されたフレームを触ることで操作装置の全体形状を把握してから当たりを付けることで操作装置を使用していることが分かった。操作装置の表示部（表示面）に表示されたオブジェクトの近傍にある枠部（フレーム）に、そのオブジェクトと関連する便座装置に対する制御指示を示す触覚記号または点字を設けた。これによって、トイレルームに備えられた操作装置に対し、便座装置を制御するための制御指示に関連するオブジェクトの位置やその制御を認識することが可能となる。特に、操作装置を使用する前にフレームを触る習慣のある全盲の人々であれば、意図しない制御を実行してしまうことなく、便座装置を制御するための制御指示に関連するオブジェクトの位置やその制御を認識することが可能となる。したがって、常に音声案内装置を用いずとも、従来よりも全盲の人が便座装置をスムーズに操作することが可能になると共に、健常者の使用感も損ねることが無いタッチパネル式の操作装置を提供することができる。このように、実施形態の一態様に係る操作装置によれば、視覚障害者が表示面に接触することなく、表示面への接触により実行される制御を把握可能にすることができる。
【０００９】
また、実施形態の一態様に係る操作装置において、前記表示部は、前記便座装置に対する複数の制御指示の各々に対応する複数のオブジェクトを表示し、前記枠部には、前記複数の制御指示のうち、局部吐水の開始指示および停止指示を含む基本制御指示に関連する前記オブジェクトの近傍に前記物理的記号が設けられることを特徴とする。
【００１０】
また、点字を設けるときは、ＪＩＳ規格により文字間が定められており、所定以下のサイズにすることができない。そのため、表示部の外側に形成された枠部に対して、判読性の高い触覚記号や点字を設けるためには、フレームの限られたスペースをいかに有効に活用するかが大きな課題となる。操作装置は、局部洗浄機能を有する便座装置において基本的な機能である、使用者の局部への吐水の開始指示および停止指示からなる基本制御指示に関連するオブジェクトの近傍に触覚記号または点字を設ける。これによって、少なくとも基本制御指示に対しては、判読性の高い触覚記号または点字を設けることが可能となる。したがって、基本制御指示については、従来よりも全盲の人が便座装置をよりスムーズに操作することが可能となる。このように、実施形態の一態様に係る操作装置によれば、視覚障害者が表示面に接触することなく、表示面への接触により実行される制御を把握可能にすることができる。
【００１１】
また、実施形態の一態様に係る操作装置において、前記表示部は、前記制御指示に関連する視覚障害者用のオブジェクトを配置し、前記枠部には、前記視覚障害者用のオブジェクトの近傍に前記物理的記号が設けられることを特徴とする。
【００１２】
操作装置の表示部（表示面）に、制御指示に関連する視覚障害者用のオブジェクトを配置し、視覚障害者用のオブジェクトの近傍に物理的記号が設ける。これにより、物理的記号を認識した使用者は、その近傍に位置する視覚障害者用のオブジェクトに接触し所望の操作を行うことが可能となる。したがって、常に音声案内装置を用いずとも、従来よりも全盲の人が便座装置をスムーズに操作することが可能になると共に、健常者の使用感も損ねることが無いタッチパネル式の操作装置を提供することができる。このように、実施形態の一態様に係る操作装置によれば、視覚障害者が表示面に接触することなく、表示面への接触により実行される制御を把握可能にすることができる。
【００１３】
また、実施形態の一態様に係る操作装置において、前記表示部は、前記制御指示に関連する健常者用のオブジェクトを表示し、前記枠部における前記物理的記号が設けられた位置からの距離が、前記制御指示に関連する健常者用のオブジェクトよりも近い位置に前記視覚障害者用のオブジェクトを配置することを特徴とする。
【００１４】
操作装置の表示部（表示面）に、健常者用のオブジェクトと、視覚障害者用のオブジェクトとを設けると共に、健常者用のオブジェクトよりも触覚記号または点字から近い位置に視覚障害者用のオブジェクトを設ける構成とした。これによって、触覚記号または点字を触ることによって認識した視覚障害用オブジェクトの位置を外すことなく視覚障害者用オブジェクトに接触することができる。したがって、常に音声案内装置を用いずとも、従来よりも全盲の人が便座装置をスムーズに操作することが可能になると共に、健常者の使用感も損ねることが無いタッチパネル式の操作装置を提供することができる。このように、実施形態の一態様に係る操作装置によれば、視覚障害者が表示面に接触することなく、表示面への接触により実行される制御を把握可能にすることができる。
【００１５】
また、実施形態の一態様に係る操作装置において、前記表示部は、前記制御指示に関連する健常者用のオブジェクトに比して透明度が高い前記視覚障害者用のオブジェクトを表示することを特徴とする。
【００１６】
視覚障害者用オブジェクトを、視覚により認知し難い、若しくは視覚により認知することができないオブジェクトにする構成とした。これによって、表示部上に表示されている、広告や、健常者用のオブジェクト等に接触することで実行される便座装置の制御説明など、オブジェクト以外の表示（映像等）に対する視認性を損ねることなく、制御指示に関連する視覚障害者用のオブジェクトを設けることができる。したがって、健常者の使用感を低下させることのないタッチパネル式の操作装置を提供することができる。このように、実施形態の一態様に係る操作装置によれば、視覚障害者が表示面に接触することなく、表示面への接触により実行される制御を把握可能にすることができる。
【００１７】
また、実施形態の一態様に係る操作装置において、前記視覚障害者用のオブジェクトへの前記使用者の接触が前記接触検知部により検知された場合に、音声による前記使用者への所定の情報の通知を行うことを特徴とする。
【００１８】
使用者が視覚障害者用オブジェクトに接触したことをタッチセンサが検知したとき、音声出力装置によって操作装置に関する情報について音声を出力する構成とした。これによって、使用者が表示面上のオブジェクトに接触したことや、表示面上のオブジェクトの位置や、オブジェクトに接触することによって実行される制御について、全盲の人に音声を用いて正確に伝えることができる。そのため、視覚障害者用オブジェクトに接触する可能性の高い全盲の人には、音声を用いた説明を行うことができる。したがって、全盲の人が便座装置をさらにスムーズに操作することが可能になると共に、健常者の使用感も低下させることのないタッチパネル式の操作装置を提供することができる。
【００１９】
また、実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連するオブジェクトが表示される表示部と、前記表示部の外周に設けられる枠部と、前記表示部に対する使用者の接触を検知する接触検知部と、前記表示部に表示されたオブジェクトへの前記使用者の接触が前記接触検知部により検知された場合に、前記オブジェクトと関連する前記制御指示により前記便座装置を操作するための信号を送信する送信部と、を備え、前記枠部には、前記表示部に沿って前記オブジェクトの表示位置を通る第１の方向に交差する位置に触覚記号または点字である物理的記号が設けられることを特徴とする。
【００２０】
また、実施形態の一態様に係る操作装置の表示部（表示面）において、枠部には、表示部に沿ってオブジェクトの表示位置を通る第１の方向に交差する位置に点字または触覚記号が設けられる。これによって、トイレルームに備えられた操作装置に対し、便座装置を制御するための制御指示に関連するオブジェクトの位置やその制御を認識することが可能となる。したがって、常に音声案内装置を用いずとも、従来よりも全盲の人が便座装置をスムーズに操作することが可能になると共に、健常者の使用感も損ねることが無いタッチパネル式の操作装置を提供することができる。このように、実施形態の一態様に係る操作装置によれば、視覚障害者が表示面に接触することなく、表示面への接触により実行される制御を把握可能にすることができる。
【００２１】
また、実施形態の一態様に係る操作装置において、前記枠部には、前記第１の方向に交差する位置に第１の物理的記号と、前記表示部に沿って前記オブジェクトの表示位置を通る第２の方向に交差する位置に第２の物理的記号とが設けられることを特徴とする。
【００２２】
また、実施形態の一態様に係る操作装置の表示部（表示面）において、枠部には、第１の方向に交差する位置に第１の物理的記号と、表示部に沿ってオブジェクトの表示位置を通る第２の方向に交差する位置に第２の物理的記号とが設けられる。これによって、トイレルームに備えられた操作装置に対し、第１の物理的記号や第２の物理的記号への接触に応じて、便座装置を制御するための制御指示に関連するオブジェクトの位置やその制御を認識することが可能となる。例えば、例えば第１の物理的記号が設けられた縦側のフレームを触ったり、第２の物理的記号が設けられた横側のフレームを触ったりしても制御内容を認識できるため、便座装置を制御するための制御指示に関連するオブジェクトの位置やその制御を認識することが可能となる。したがって、常に音声案内装置を用いずとも、従来よりも全盲の人が便座装置をスムーズに操作することが可能になると共に、健常者の使用感も損ねることが無いタッチパネル式の操作装置を提供することができる。このように、実施形態の一態様に係る操作装置によれば、視覚障害者が表示面に接触することなく、表示面への接触により実行される制御を把握可能にすることができる。
【００２３】
また、実施形態の一態様に係る操作装置において、組合せにより前記オブジェクトの制御内容を示す前記第１の物理的記号と前記第２の物理的記号とが設けられることを特徴とする。
【００２４】
また、実施形態の一態様に係る操作装置の表示部（表示面）において、枠部には、組合せにより前記オブジェクトの制御内容を示す第１の物理的記号と第２の物理的記号とが設けられる。これによって、トイレルームに備えられた操作装置に対し、物理的記号の組合せに応じて、便座装置を制御するための制御指示に関連するオブジェクトの位置やその制御を認識することが可能となる。したがって、常に音声案内装置を用いずとも、従来よりも全盲の人が便座装置をスムーズに操作することが可能になると共に、健常者の使用感も損ねることが無いタッチパネル式の操作装置を提供することができる。このように、実施形態の一態様に係る操作装置によれば、視覚障害者が表示面に接触することなく、表示面への接触により実行される制御を把握可能にすることができる。
【発明の効果】
【００２５】
実施形態の一態様によれば、視覚障害者が表示面に接触することなく、表示面への接触により実行される制御を把握可能にすることができる。
【図面の簡単な説明】
【００２６】
【図１】図１は、第１の実施形態に係る操作装置の一例を示す図である。
【図２】図２は、トイレシステムの外観構成の一例を示す模式斜視図である。
【図３】図３は、トイレシステムの構成の一例を示すブロック図である。
【図４】図４は、便座装置の機能構成の一例を示すブロック図である。
【図５】図５は、操作装置が実行する処理の手順の一例を示すフローチャートである。
【図６】図６は、第２の実施形態に係る操作装置の一例を示す図である。
【図７】図７は、第２の実施形態に係る操作装置の機能構成の一例を示す図である。
【図８】図８は、第３の実施形態に係る操作装置の情報処理の一例を示す図である。
【図９】図９は、第３の実施形態に係る操作装置の機能構成の一例を示す図である。
【図１０】図１０は、便座装置の他の構成の一例を示すブロック図である。
【図１１】図１１は、トイレシステムが実行する処理の手順の一例を示すフローチャートである。
【図１２】図１２は、操作装置が実行する画面遷移の一例を示す図である。
【図１３】図１３は、操作装置が実行する機能説明の処理の手順の一例を示すフローチャートである。
【図１４】図１４は、操作装置が実行するロック解除における画面遷移の一例を示す図である。
【図１５】図１５は、操作装置が実行するロック解除における画面遷移の他の一例を示す図である。
【発明を実施するための形態】
【００２７】
以下、添付図面を参照して、本願の開示する操作装置の実施形態を詳細に説明する。なお、以下に示す実施形態によりこの発明が限定されるものではない。
【００２８】
［第１の実施形態］
＜１．情報処理＞
まず、第１の実施形態に係る操作装置において実行される情報処理の内容について図１を参照して説明する。図１は、第１の実施形態に係る操作装置の一例を示す図である。図１に示す操作装置１０は、局部洗浄機能を有する便座装置２（図２参照）を操作するための情報処理装置である。操作装置１０は、タッチパネルの機能を有するタッチパネル式の操作装置であり、ディスプレイである表示部１３への使用者の接触に応じて操作を受け付ける。また、操作装置１０は、トイレルームＲ（図２参照）等のトイレ室に配置されるが詳細は後述する。
【００２９】
図１の例では、操作装置１０の長手方向を横に向けて使用する表示態様により、操作装置１０の短手方向を上下方向とし、表示部１３の長手方向を左右方向として説明するが、操作装置１０の方向を規定するものではない。図１に示すように、操作装置１０は、表示部１３の外周部１３１に沿って枠部１９が設けられる。枠部１９は、表示部１３の周囲を囲むフレームである。なお、図１では、枠部１９と表示部１３との境界を明示し、枠部１９の内側全体が表示部１３であることを明示するために、枠部１９にハッチングを付す。
【００３０】
図１の操作装置１０は、表示部１３に操作画面が表示された状態を示す。操作画面には、便座装置２の局部洗浄機能に対する制御指示に関連するオブジェクトＯＢ１〜ＯＢ７や広告や機能説明等の種々のコンテンツが表示される情報表示エリアＣＴが含まれる。図１に示すように、操作画面が表示された表示部１３には、上側に情報表示エリアＣＴが配置され、オブジェクトＯＢ１〜ＯＢ７等が下側に配置される。
【００３１】
ここで、オブジェクトＯＢ１は、便座装置２により実行中の制御を止めるためのオブジェクトである。オブジェクトＯＢ２は、便座装置２による局部洗浄の実行を開始するためのオブジェクトである。オブジェクトＯＢ３は、便座装置２に所定の音を出力させるためのオブジェクトである。オブジェクトＯＢ４は、便座装置２のノズル部６（図２参照）を除菌水で殺菌する殺菌処理を行うためのオブジェクトである。
【００３２】
オブジェクトＯＢ５は、便座装置２による局部洗浄時の吐水の勢いを調整するためのオブジェクトである。オブジェクトＯＢ６は、便座装置２が出力する音の音量を調整するためのオブジェクトである。オブジェクトＯＢ７は、トイレの利用に関する情報を操作装置１０に表示したり音声出力したりする際の言語を選択するためのオブジェクトである。
【００３３】
オブジェクトＯＢ２〜ＯＢ４の右下に配置された機能説明オブジェクトＩＯ２〜ＩＯ４は、対応するオブジェクトの機能の説明を行うためのオブジェクトである。例えば、機能説明オブジェクトＩＯ２に使用者が接触した場合、情報表示エリアＣＴにオブジェクトＯＢ２に関する機能説明のコンテンツが表示される。
【００３４】
操作装置１０は、表示部１３に表示されたオブジェクトＯＢ１に使用者が接触したことを検知した場合、実行中の制御を便座装置２に止めさせるための信号を便座装置２へ送信する。また、操作装置１０は、表示部１３に表示されたオブジェクトＯＢ２に使用者が接触したことを検知した場合、局部洗浄の実行を便座装置２に開始させるための信号を便座装置２へ送信する。また、操作装置１０は、表示部１３に表示されたオブジェクトＯＢ３に使用者が接触したことを検知した場合、トイレの音消し用等の所定の音を便座装置２に出力させるための信号を便座装置２へ送信する。また、操作装置１０は、表示部１３に表示されたオブジェクトＯＢ４に使用者が接触したことを検知した場合、ノズル部６の殺菌処理を便座装置２に実行させるための信号を便座装置２へ送信する。
【００３５】
また、操作装置１０は、表示部１３に表示されたオブジェクトＯＢ５に使用者が接触したことを検知した場合、局部洗浄時の吐水の勢いを調整するための信号を便座装置２へ送信する。例えば、操作装置１０は、オブジェクトＯＢ５の「＋」が表示された部分に使用者が接触したことを検知した場合、局部洗浄時の吐水の勢いを強めるための信号を便座装置２へ送信する。また、例えば、操作装置１０は、オブジェクトＯＢ５の「−」が表示された部分に使用者が接触したことを検知した場合、局部洗浄時の吐水の勢いを弱めるための信号を便座装置２へ送信する。
【００３６】
また、操作装置１０は、表示部１３に表示されたオブジェクトＯＢ６に使用者が接触したことを検知した場合、出力する音の音量を調整するための信号を便座装置２へ送信する。例えば、操作装置１０は、オブジェクトＯＢ６の「＋」が表示された部分に使用者が接触したことを検知した場合、出力する音の音量を強めるための信号を便座装置２へ送信する。また、例えば、操作装置１０は、オブジェクトＯＢ６の「−」が表示された部分に使用者が接触したことを検知した場合、出力する音の音量を弱めるための信号を便座装置２へ送信する。例えば、操作装置１０は、オブジェクトＯＢ１〜ＯＢ７の範囲を示す情報を記憶部１４（図３参照）に記憶し、使用者の接触位置との比較に基づいて、使用者がオブジェクトＯＢ１〜ＯＢ７に接触したかを判定する。
【００３７】
ここで、操作装置１０の枠部１９には、表示部１３においてオブジェクトが表示された位置に基づく位置に、オブジェクトと関連する制御指示を示す点字である物理的記号ＳＧ１、ＳＧ２が設けられる。例えば、操作装置１０の枠部１９には、表示部１３においてオブジェクトが表示された位置の近傍に、オブジェクトと関連する制御指示を示す点字である物理的記号ＳＧ１、ＳＧ２が設けられる。図１の例では、枠部１９には、複数の制御指示のうち、局部吐水の開始指示および停止指示を含む基本制御指示に関連するオブジェクトＯＢ１、ＯＢ２の近傍に物理的記号ＳＧ１、ＳＧ２が設けられる。
【００３８】
枠部１９は、オブジェクトＯＢ１〜ＯＢ７のうち、対応するオブジェクトＯＢ１との距離が最も近い位置に物理的記号ＳＧ１を有する。すなわち、枠部１９は、局部吐水の停止指示に関するオブジェクトＯＢ１の近傍に物理的記号ＳＧ１を有する。例えば、物理的記号ＳＧ１は、オブジェクトＯＢ１に対応する制御内容を示す点字であってもよい。枠部１９は、局部吐水の開始指示に関するオブジェクトＯＢ２の近傍に物理的記号ＳＧ２を有する。例えば、物理的記号ＳＧ２は、オブジェクトＯＢ２に対応する制御内容を示す点字であってもよい。
【００３９】
このように、操作装置１０は、局部吐水の基本制御である吐水停止のオブジェクトＯＢ１や吐水開始のオブジェクトＯＢ２に対応する物理的記号ＳＧ１、ＳＧ２を設ける。これにより、視覚障害者が手探り等により枠部１９に接触した場合に、物理的記号ＳＧ１、ＳＧ２により表示部１３にどのような制御を実行されえるオブジェクトが含まれるかを把握することができる。したがって、操作装置１０は、視覚障害者が表示面に接触することなく、表示面への接触により実行される制御を把握可能にすることができる。
【００４０】
また、表示部１３は、視覚障害者用のオブジェクト（視覚障害者用オブジェクト）を、健常者用のオブジェクト（例えばオブジェクトＯＢ１、ＯＢ２）よりも枠部１９に近い位置に配置する。なお、ここでいう健常者用のオブジェクトとは、視認により使用者がそのオブジェクトの位置を把握可能なオブジェクトであることを意味するものであり、健常者のみが操作可能なオブジェクトであることを意味するものではない。例えば、健常者用のオブジェクトに視覚障害者が接触した場合、その健常者用のオブジェクトに対応する制御が行われる。表示部１３は、オブジェクトＯＢ１、ＯＢ２よりも枠部１９に近い位置にオブジェクトＯＢ１、ＯＢ２の各々に対応する視覚障害者用オブジェクトを配置する。表示部１３は、オブジェクトＯＢ１よりも枠部１９に近い位置にオブジェクトＯＢ１の各々に対応する視覚障害者用オブジェクトを配置する。例えば、表示部１３は、オブジェクトＯＢ１、ＯＢ２に比して透明度が高い隠しオブジェクトをオブジェクトＯＢ１、ＯＢ２よりも枠部１９に近い位置に設ける。
【００４１】
図１の例では、表示部１３は、領域ＡＲ１、ＡＲ２に透明な視覚障害者用オブジェクトを設ける場合を示す。そのため、図１の例では、視覚障害者用オブジェクトが不図示であるが、視覚障害者用オブジェクトは、透明に限らず、対応するオブジェクトＯＢ１、ＯＢ２よりも視認性が低ければどのような態様であってもよい。視覚障害者用オブジェクトは、対応するオブジェクトＯＢ１、ＯＢ２に比して透明度が高く、視覚により認知し難い、または認知することが出来ないオブジェクトであればどのような態様であってもよい。図１の例では、領域ＡＲ１、ＡＲ２は、オブジェクトＯＢ１〜ＯＢ７の周囲の余白部ＢＳに設けられる。
【００４２】
例えば、視覚障害者用オブジェクトは、使用者により指定（接触）された場合、対応するオブジェクトと同じ制御を行う。操作装置１０は、表示部１３においてオブジェクトＯＢ１に対応する視覚障害者用オブジェクトが配置された領域ＡＲ１に使用者が接触したことを検知した場合、実行中の制御を便座装置２に止めさせるための信号を便座装置２へ送信する。また、操作装置１０は、表示部１３においてオブジェクトＯＢ２に対応する視覚障害者用オブジェクトが配置された領域ＡＲ２に使用者が接触したことを検知した場合、便座装置２に局部吐水を開始させるための信号を便座装置２へ送信する。
【００４３】
これにより、操作装置１０は、視覚障害者が枠部１９の物理的記号ＳＧ１、ＳＧ２に触れ、その内容を把握した後、その物理的記号ＳＧ１、ＳＧ２付近の表示部１３に接触することにより、所望の操作を実行することができる。例えば、操作装置１０は、視覚障害者が枠部１９の物理的記号ＳＧ１に触れ、その内容を把握した後、その物理的記号ＳＧ１付近の表示部１３の領域ＡＲ１に接触することにより、実行中の制御を停止させることができる。また、例えば、操作装置１０は、視覚障害者が枠部１９の物理的記号ＳＧ２に触れ、その内容を把握した後、その物理的記号ＳＧ２付近の表示部１３の領域ＡＲ２に接触することにより、局部吐水の実行を開始させることができる。
【００４４】
また、操作装置１０は、視覚障害者用オブジェクトへの使用者の接触を検知した場合に、音声による使用者への所定の情報の通知を行ってもよい。操作装置１０は、視覚障害者用オブジェクトへの使用者の接触を検知した場合に、その視覚障害者用オブジェクトに対応する制御内容を示す音声を出力してもよい。例えば、操作装置１０は、オブジェクトＯＢ１に対応する視覚障害者用オブジェクトへの使用者の接触を検知した場合に、音声による使用者への所定の情報の通知を行ってもよい。操作装置１０は、オブジェクトＯＢ２に対応する視覚障害者用オブジェクトへの使用者の接触を検知した場合に、音声による使用者への所定の情報の通知を行ってもよい。
【００４５】
また、操作装置１０は、使用者が押下可能なスイッチ部１８を枠部１９に有する。例えば、スイッチ部１８は、電源ボタンであってもよいし、便座装置２による制御を停止する停止制御指示に関連するボタンであってもよい。このように、操作装置１０は、機械的機構であるスイッチ部１８を設けることにより、そのスイッチ部１８の位置を触覚により使用者が認識することが可能となるため、視覚障害者が表示面に接触することなく、所望の制御を実行可能にすることができる。これにより、操作装置１０は、視覚障害者が表示面に接触することなく、実行される制御をより正確に把握可能にすることができる。また、操作装置１０は、健常者にとっても違和感が少ない操作画面を提供することができる。すなわち、操作装置１０は、健常者への影響を抑制し、かつ視覚障害者が装置を誤操作する可能性を低減することができる。
【００４６】
例えば、操作装置の表示部（表示面）上に点字を設けたとしても、所望の制御に対応する点字を見つけるまでに表示部に触れなければならず、表示部に触れずにその制御を把握することが難しい。また、トイレルーム内は、プライベート空間であるが故に周りにサポートしてくれる方がいないという事に加え、トイレルーム内に設置される操作装置１０の表示部に表示されるオブジェクトのレイアウトが各トイレルームで統一されていないため、視覚障害者、特に全盲の人が表示部に触れずにその制御を把握することが難しい。
【００４７】
一方で、操作装置１０は、枠部１９に表示部１３においてオブジェクトが表示された位置の近傍に、オブジェクトと関連する制御指示を示す点字である物理的記号ＳＧ１、ＳＧ２が設けられる。これにより、視覚障害者、特に全盲の人が枠部１９に触れ、そこに設けられた物理的記号により制御内容を把握してから、表示部に接触し操作を行うことができる。そのため、操作装置１０は、視覚障害者が表示面に接触することなく、表示面への接触により実行される制御を把握可能にすることができる。
【００４８】
また、例えば、全盲の人の利便性向上のために、トイレルーム内に設けられたスイッチを操作することによりトイレルーム内の機器の位置、および操作方法を音声にて案内を行う音声案内装置が知られている（たとえば特許文献３参照）。この場合、音声案内にはスイッチの操作が必要であるため、スイッチの位置を視覚によって認識することができない全盲の人には利便性が高いとは言い難い。また、人体検知センサによる人の検知に応じて音声案内を行うことは、健常者に対しても音声案内が出力されるため、トイレルーム内での自分の操作を他人に聞かれたくない健常者にとって使用感を損ねてしまうため、採用することは困難である。一方で、操作装置１０によれば、常に音声案内を行わずとも、従来よりも全盲の人が表示部に触れずとも制御内容を把握できるなど便座装置をスムーズに操作することが可能であり、かつ健常者の使用感も損ねないタッチパネル式の操作装置を提供することができる。
【００４９】
なお、操作装置１０は、上記のような表示部１３による表示や操作の受付け等の処理を所定のアプリケーションにより実現してもよい。また、操作装置１０は、所定のソフトウェアアプリケーション上で実行されるスクリプトを取得し、取得したスクリプト等の制御情報により、上記のような情報表示や操作受付等の情報処理を実行してもよい。例えば、制御情報は、第１の実施形態に係る操作装置１０による情報表示や操作受付等の情報処理を実現するプログラムに対応するものであり、例えば、ＣＳＳ（Cascading  Style  Sheets）、ＪａｖａＳｃｒｉｐｔ（登録商標）、ＨＴＭＬ（Hyper  Text  Markup  Language）、あるいは、上述した操作装置１０による情報表示や操作受付等の情報処理を記述可能な任意の言語によって実現される。
【００５０】
＜２．トイレシステムの外観構成＞
次に、トイレシステムの外観構成について図２を参照して説明する。図２は、トイレシステムの外観構成の一例を示す模式斜視図である。
【００５１】
図２に示すように、トイレシステム１は、便座装置２と、操作装置１０とを備える。図２に示すように、トイレルームＲには、床面Ｆに、洋式大便器（以下「便器」と記載する）７が設置されており、便座装置２は、便器７の上部に設けられる。
【００５２】
便器７は、例えば、陶器製である。便器７には、ボウル部８が形成される。ボウル部８は、下方に凹んだ形状であり、使用者の排泄物を受ける部位である。なお、便器７は、図示のような床置き式に限らず、トイレシステム１を適用可能であれば、どのような形式でもよく、壁掛け式等のような形式であってもよい。便器７には、ボウル部８が臨む開口の端部の全周にわたってリム部９が設けられる。トイレルームＲには、例えば、便器７付近に洗浄水を貯留する洗浄水タンクが設置されてもよいし、洗浄水タンクが設置されない、いわゆるタンクレス式でもよい。
【００５３】
例えば、トイレルームＲに設けられた洗浄用の洗浄操作部（図示省略）が使用者により操作されると、便器７のボウル部８への洗浄水の供給による便器洗浄が実施される。洗浄操作部は操作レバーや、操作装置１０に表示された便器洗浄オブジェクトに対するタッチ操作であってもよい。なお、洗浄操作部は、操作レバーなどのような使用者の手動によって便器洗浄を実施させるものに限らず、着座センサのような使用者を検知するセンサの人体検知によって便器洗浄を実施させるものでもよい。
【００５４】
便座装置２は、便器７の上部に取り付けられ、本体部３と、便蓋４と、着座部５と、ノズル部６とを備える。なお、便座装置２は、便器７に対して着脱可能に取り付けられてもよいし、便器７と一体化するように取り付けられてもよい。
【００５５】
図２に示すように、着座部５は、いわゆる便座であり、中央に開口を有する環状に形成され、リム部９に沿って、便器７の開口に重なる位置に配置される。そして、着座部５は、着座した使用者の臀部を支持する。また、図２に示すように、便蓋４及び着座部５は、それぞれの一端部が本体部３に軸支され、本体部３の軸支部分を中心として回動可能（開閉可能）に取り付けられる。なお、便蓋４は、便座装置２に必要に応じて取り付けられ、便座装置２は、便蓋４を有しなくてもよい。
【００５６】
ノズル部６は、局部洗浄用のノズルである。ノズル部６は、図示しない電動モータなどの駆動源の駆動により、本体部３の筐体に対して進退可能に構成される。また、ノズル部６は、図示しない水道管などの水源に接続される。そして、ノズル部６は、図２に示すように、本体部３の筐体に対して進出した位置にあるときに、水源からの水を使用者の身体へ噴出させて局部を洗浄する。
【００５７】
操作装置１０は、トイレルームＲ内に設けられる。操作装置１０は、使用者が操作可能な位置に設けられる。操作装置１０は、使用者が着座部５に着座時において、操作可能な位置に設けられる。図２に示す例において、操作装置１０は、着座部５に着座した使用者から見て右側方の壁面Ｗに配置される。なお、操作装置１０は、着座部５に着座した使用者が利用可能であれば、壁面に限らず、種々の態様により配置されてもよい。例えば、操作装置１０は、便座装置２と一体に設けられてもよいが、この点については後述する。また、トイレシステム１には、操作装置１０に限らず、後述する操作装置１０Ａ、１０Ｂ等の操作装置が含まれてもよい。
【００５８】
＜３．トイレシステムの構成及び操作装置の機能構成＞
次に、トイレシステム１の構成及び操作装置１０の機能構成について図３を参照して説明する。図３は、トイレシステムの構成の一例を示すブロック図である。具体的には、図３は、トイレシステム１の構成及びトイレシステム１に含まれる操作装置１０の機能構成を示す。トイレシステム１は、便座装置２と、操作装置１０とが含まれる。
【００５９】
便座装置２と、操作装置１０とは所定のネットワークＮを介して、有線または無線により通信可能に接続される。例えば、便座装置２と操作装置１０とは、情報の送受信が可能であれば、どのような接続であってもよく、有線により通信可能に接続されてもよいし、無線により通信可能に接続されてもよい。
【００６０】
トイレシステム１に、音声出力装置５０が含まれる場合、例えば、音声出力装置５０はトイレルームＲ内に設けられる。例えば、操作装置１０や便座装置２が音声案内を行う機能を有していてもよい。なお、図３では、音声出力装置５０を図示するが、トイレシステム１には、音声出力装置５０が含まれなくてもよい。例えば、音声出力装置５０は、便座装置２と、操作装置１０と所定のネットワークＮを介して、有線または無線により通信可能に接続され、トイレルームＲ内に音声を出力する便座装置２や操作装置１０とは異なる構成であってもよい。
【００６１】
まず、操作装置１０の構成について説明する。図３に示すように、操作装置１０は、通信部１１と、入力部１２と、表示部１３と、記憶部１４と、制御部１５と、接触検知部１６と、音声出力部１７と、スイッチ部１８と、枠部１９（図１参照）とを有する。
【００６２】
通信部１１は、例えば、通信回路等によって実現される。そして、通信部１１は、所定のネットワークＮと有線または無線で接続され、外部の情報処理装置との間で情報の送受信を行う。例えば、通信部１１は、ネットワークＮと有線または無線で接続され、便座装置２や音声出力装置５０との間で情報の送受信を行う。
【００６３】
入力部１２は、使用者から各種操作が入力される。入力部１２は、タッチパネル機能により表示面（例えば表示部１３）を介して使用者からの各種操作を受け付ける。また、入力部１２は、操作装置１０に設けられたスイッチやボタン等により各種操作を受け付けてもよい。
【００６４】
入力部１２は、接触検知部１６により実現されるタッチパネルの機能によりタブレット端末等のディスプレイ（表示面、表示画面）を介して使用者から各種操作を受け付ける。すなわち、入力部１２は、操作装置１０の表示部１３を介して使用者から各種操作を受け付ける。例えば、入力部１２は、操作装置１０の表示部１３を介して使用者のオブジェクトの指定操作等の操作を受け付ける。言い換えると、入力部１２は、タッチパネルの機能により使用者の操作を受け付ける受付部として機能する。なお、入力部１２による使用者の操作の検知方式には、タブレット端末では主に静電容量方式が採用されるが、他の検知方式である抵抗膜方式、表面弾性波方式、赤外線方式、電磁誘導方式など、使用者の操作を検知できタッチパネルの機能が実現できればどのような方式を採用してもよい。また、操作装置１０は、操作装置１０にスイッチやボタン等が設けられる場合、スイッチやボタン等による操作も受け付ける入力部を有してもよい。
【００６５】
表示部１３は、例えば液晶ディスプレイや有機ＥＬ（Electro-Luminescence）ディスプレイ等によって実現されるタブレット端末等の表示画面であり、各種情報を表示するための表示装置である。つまり、操作装置１０は、表示部１３である表示画面により使用者の入力を受け付け、使用者への出力も行う。表示部１３は、各種情報を表示する。なお、表示部１３における表示の制御は、表示部１３が行ってもよいし、制御部１５の表示制御部等が行ってもよい。
【００６６】
表示部１３は、便座装置に対する制御指示に関連するオブジェクトを表示する。表示部１３は、便座装置２に対する複数の制御指示の各々に対応する複数のオブジェクトを表示する。表示部１３は、制御指示に関連する視覚障害者用のオブジェクトを配置する。表示部１３は、制御指示に関連する健常者用のオブジェクトを表示し、枠部１９における物理的記号が設けられた位置からの距離が、健常者用のオブジェクトよりも近い位置に視覚障害者用のオブジェクトを配置する。表示部１３は、健常者用のオブジェクトに比して透明度が高い視覚障害者用のオブジェクトを表示する。
【００６７】
表示部１３は、使用者によるロック解除の操作を受け付けるロック画面を表示し、使用者による操作に応じたロック解除後において、便座装置に対する制御指示に関連するオブジェクトを表示する。表示部１３は、所定の領域への使用者の接触が検知された場合、所定の領域とは異なる他の領域に、使用者によるロック解除の操作を受け付ける解除オブジェクトを表示する。表示部１３は、トイレルームへの使用者の入室が検知された場合に、使用者による操作を受け付けない他の画面を表示し、入室から所定の期間経過後に、他の画面からロック画面に表示を変更する。
【００６８】
記憶部１４は、例えば、ＲＡＭ（Random  Access  Memory）、フラッシュメモリ（Flash  Memory）等の半導体メモリ素子、または、ハードディスク、光ディスク等の記憶装置によって実現される。記憶部１４は、例えば、操作装置１０にインストールされているアプリケーション（例えばトイレ機器操作用アプリ等）に関する情報、例えばプログラム等を記憶する。記憶部１４は、操作画面等の各種画面に関する情報を記憶する。記憶部１４は、便座装置２を操作するための信号を生成するために用いる情報を記憶する。記憶部１４は、オブジェクトと制御指示とを対応付けた情報を記憶する。
【００６９】
また、記憶部１４は、使用者が指定したオブジェクトに対応する制御指示を行うかを判定するための情報を記憶する。例えば、記憶部１４は、使用者の接触がいずれの操作であるかを判定するための情報を記憶する。
【００７０】
制御部１５は、ＣＰＵ（Central  Processing  Unit）やＭＰＵ（Micro  Processing  Unit）等によって、記憶部１４に記憶されているプログラムがＲＡＭを作業領域として実行されることにより実現される。例えば、この各種プログラムは、表示処理や判定処理等の各種情報処理を行うアプリケーション（例えばトイレ機器操作用アプリ等）のプログラムが含まれる。また、制御部１５は、例えば、ＡＳＩＣ（Application  Specific  Integrated  Circuit）やＦＰＧＡ（Field  Programmable  Gate  Array）等の集積回路により実現される。
【００７１】
図３に示すように、制御部１５は、取得部１５１と、判定部１５２と、生成部１５３と、送信部１５４とを有し、以下に説明する判定処理の機能や作用を実現または実行する。なお、制御部１５の内部構成は、図３に示した構成に限られず、後述する判定処理を行う構成であれば他の構成であってもよい。また、制御部１５が有する各処理部の接続関係は、図３に示した接続関係に限られず、他の接続関係であってもよい。
【００７２】
取得部１５１は、各種情報を取得する。例えば、取得部１５１は、外部の情報処理装置から各種情報を取得する。例えば、取得部１５１は、便座装置２や音声出力装置５０から各種情報を取得する。例えば、取得部１５１は、記憶部１４から各種情報を取得する。例えば、取得部１５１は、接触検知部１６により検知されたセンサ情報を取得する。
【００７３】
判定部１５２は、種々の情報を判定する。例えば、判定部１５２は、取得部１５１により取得された各種情報を用いて種々の情報を判定する。例えば、判定部１５２は、記憶部１４に記憶された各種情報を用いて種々の情報を判定する。例えば、判定部１５２は、接触検知部１６により検知されたセンサ情報に基づいて、種々の判定を行う。
【００７４】
例えば、判定部１５２は、センサ情報に基づいて、使用者が接触したオブジェクトを特定する。例えば、判定部１５２は、センサ情報に基づいて、使用者の操作がタップ、ダブルタップ、ドラッグ、スワイプ、フリック、ピンチ、ロングタップ等のいずれの種別の操作であるかを特定する。
【００７５】
生成部１５３は、種々の生成を行なう。例えば、生成部１５３は、制御指示の信号を生成する。例えば、生成部１５３は、便座装置２を操作するための信号を生成する。例えば、生成部１５３は、使用者が接触したオブジェクトと関連する制御指示に対応する信号を生成する。
【００７６】
生成部１５３は、記憶部１４に記憶された情報を用いて、使用者が接触したオブジェクトと関連する制御指示に対応する信号を生成する。生成部１５３は、記憶部１４に記憶されたオブジェクトと制御指示とを対応付けた情報を用いて、便座装置２を操作するための信号を生成する。生成部１５３は、使用者が接触したオブジェクトを示す情報と、記憶部１４に記憶されたオブジェクトと制御指示とを対応付けた情報を用いて、便座装置２を操作するための信号を生成する。
【００７７】
送信部１５４は、種々の情報を送信する。例えば、送信部１５４は、通信部１１を制御することにより、種々の情報を送信する。送信部１５４は、通信部１１を介して、他の装置へ種々の情報を送信する。なお、送信部１５４は、制御部１５ではなく通信部１１に含まれてもよい。送信部１５４は、各種情報を便座装置２や音声出力装置５０へ送信する。送信部１５４は、記憶部１４に記憶された各種情報を他の装置へ送信する。送信部１５４は、取得部１５１により取得された各種情報を他の装置へ送信する。送信部１５４は、判定部１５２により判定された各種情報を他の装置へ送信する。送信部１５４は、生成部１５３により生成された各種情報を他の装置へ送信する。
【００７８】
送信部１５４は、表示部１３に表示されたオブジェクトへの使用者の接触が接触検知部１６により検知された場合に、オブジェクトと関連する制御指示により便座装置２を操作するための信号を送信する。送信部１５４は、接触検知部１６が、使用者による表示部１３の視覚障害者用オブジェクトが配置された領域への接触を検知した場合、視覚障害者用オブジェクトに対応するオブジェクトに対応する制御指示を便座装置２に送信する。送信部１５４は、使用者によってスイッチ部１８が押下された場合、便座装置２が実行中の制御を停止するための信号を送信する。
【００７９】
なお、上述した制御部１５による各種の処理は、所定のアプリケーションにより行われる場合、制御部１５の各部は、例えば、所定のアプリケーションにより実現されてもよい。例えば、制御部１５による各種の処理は、外部の情報処理装置から受信した制御情報により実現されてもよい。
【００８０】
接触検知部１６は、タッチパネルの機能を実現するためのセンサである。例えば、接触検知部１６は、圧力センサを含む。例えば、接触検知部１６は、使用者が画面に接触する圧力を示す圧力情報を検知するセンサを含む。例えば、接触検知部１６は、画面における使用者の接触範囲（座標）を検知するセンサを含む。例えば、接触検知部１６は、画面において使用者が接触する位置を示す位置情報を検知するセンサを含む。例えば、接触検知部１６は、画面において使用者が接触する面積を示す面積情報を検知するセンサを含む。例えば、接触検知部１６は、種々の他の構成と連携してタッチセンサの機能を実現する。
【００８１】
接触検知部１６は、表示部１３に対する使用者の接触を検知する。接触検知部１６は、ロック画面の表示時における表示部１３の所定の領域への使用者の接触を、ロック解除の操作として検知する。接触検知部１６は、表示部１３に表示された言語選択のための言語選択オブジェクトへの使用者の接触を、ロック解除の操作として検知する。
【００８２】
音声出力部１７は、音声を出力する。例えば、音声出力部１７は、スピーカである。例えば、音声出力部１７は、操作装置１０内に設けられる音声出力装置であってもよい。音声出力部１７は、使用者に対して種々の情報を音声で出力する。例えば、音声出力部１７は、使用者に対して音声案内を行う。
【００８３】
例えば、音声出力部１７は、視覚障害者用のオブジェクトへの使用者の接触が接触検知部１６により検知された場合に、音声による使用者への所定の情報の通知を行う。
【００８４】
スイッチ部１８は、枠部１９に設けられ、使用者が押下可能である。例えば、スイッチ部１８は、押しボタンであってもよい。スイッチ部１８は、使用者の押下に応じて、対応する処理を実行する。スイッチ部１８は、電源ボタンである場合、使用者に押下された場合、操作装置１０の電源をＯＦＦにする。また、スイッチ部１８は、停止オブジェクトに対応する処理用のボタンである場合、便座装置２が実行中の制御を停止するための信号を送信部１５４に送信させる。
【００８５】
枠部１９は、表示部１３の外周部１３１に設けられるフレームである。枠部１９は、表示部１３の外周部１３１を全周に亘って囲むフレームである。枠部１９は、種々の材料により形成されてもよい。
【００８６】
枠部１９には、表示部１３においてオブジェクトが表示された位置の近傍に、オブジェクトと関連する制御指示を示す触覚記号または点字である物理的記号が設けられる。枠部１９には、複数の制御指示のうち、局部吐水の開始指示および停止指示を含む基本制御指示に関連するオブジェクトの近傍に物理的記号が設けられる。枠部１９には、視覚障害者用のオブジェクトの近傍に物理的記号が設けられる。例えば、枠部１９には、点字が設けられる。
【００８７】
なお、操作装置１０は、振動を出力する場合、振動出力部（例えば振動モータ等により実現されるバイブレータ）を有してもよい。
【００８８】
＜４．便座装置の機能構成＞
次に、便座装置２の機能構成について図４を参照して説明する。図４は、便座装置の機能構成の一例を示すブロック図である。図４に示すように、便座装置２は、本体部３と、便蓋４と、着座部５と、ノズル部６とを備える。なお、図２で説明した便座装置２の外観構成の点についての説明は省略する。
【００８９】
便座装置２の本体部３は、通信部３１と、人体検知部３２と、着座検知部３３と、制御部３４とを有する。
【００９０】
通信部３１は、例えば、通信回路等によって実現される。そして、通信部３１は、図示しない所定の通信網（ネットワークＮ）と有線または無線で接続され、外部の情報処理装置との間で情報の送受信を行う。例えば、通信部３１は、ネットワークＮと有線または無線で接続され、操作装置１０や音声出力装置５０との間で情報の送受信を行う。
【００９１】
人体検知部３２は、人体を検知する機能を有する。例えば、人体検知部３２は、赤外線信号を用いた焦電センサ等により実現される。例えば、人体検知部３２は、μ（マイクロ）波を用いた焦電センサ等により実現されてもよい。なお、上記は一例であり、人体検知部３２は、上記に限らず、種々の手段により人体を検知してもよい。例えば、人体検知部３２は、トイレルームＲ（図２参照）内に入室した人（使用者など）を検知する。人体検知部３２は、検知信号を制御部３４へ出力する。
【００９２】
着座検知部３３は、便座装置２への人の着座を検知する機能を有する。着座検知部３３は、使用者が着座部５に着座したことを検知する。例えば、着座検知部３３は、荷重センサにより使用者が着座部５に着座したことを検知する。例えば、着座検知部３３は、赤外線投受光式の測距センサであり、人（使用者）が着座部５に着座する直前において着座部５の付近に存在する人体や、着座部５に着座した使用者を検知してもよい。なお、上記は一例であり、着座検知部３３は、上記に限らず、種々の手段により便座装置２への人の着座を検知してもよい。着座検知部３３は、着座検知信号を制御部３４へ出力する。
【００９３】
制御部３４は、便蓋４や着座部５やノズル部６を制御する。制御部３４は、操作装置１０から送信された信号に基づいて、便蓋４や着座部５やノズル部６を制御する。制御部３４は、操作装置１０から送信された局部洗浄に関する制御指示の信号に基づいて、ノズル部６を制御する。制御部３４は、操作装置１０から送信された便蓋開閉に関する制御指示の信号に基づいて、便蓋４を制御する。制御部３４は、操作装置１０から送信された着座部開閉に関する制御指示の信号に基づいて、着座部５を制御する。制御部３４は、有線により、便蓋４や着座部５やノズル部６に制御情報を送信する。なお、制御部３４は、無線により、便蓋４や着座部５やノズル部６に制御情報を送信してもよい。
【００９４】
制御部３４は、人体検知部３２による使用者の入室が検知されたか否かを判定する。制御部３４は、人体検知部３２によるトイレルームＲへの使用者の入室が検知されたか否かを判定する。制御部３４は、着座検知部３３による使用者の着座が検知されたか否かを判定する。制御部３４は、着座検知部３３による着座部５への使用者の着座が検知されたか否かを判定する。制御部３４は、例えば、ＣＰＵやＭＰＵやＡＳＩＣやＦＰＧＡ等の集積回路等の種々の手段により実現されてもよい。
【００９５】
なお、便座装置２には、上記に限らず種々の構成が含まれてもよい。例えば、便座装置２には、音声出力部（トイレ用擬音装置）が含まれてもよい。
【００９６】
＜５．操作装置の具体的動作＞
次に、操作装置１０の具体的動作について図５を参照して説明する。図５は、操作装置が実行する処理の手順の一例を示すフローチャートである。なお、操作装置１０が行う場合を一例として説明するが、この処理は操作装置１０に限らず、後述する操作装置１０Ａ、１０Ｂ等の操作装置が行ってもよい。
【００９７】
図５に示すように、操作装置１０は、オブジェクトを表示する（ステップＳ１）。例えば、操作装置１０は、表示部１３中の第１の領域にオブジェクトを表示する。
【００９８】
そして、操作装置１０は、表示面への接触を検知した場合（ステップＳ２：Ｙｅｓ）、接触位置がオブジェクトの表示位置かどうかを判定する（ステップＳ３）。なお、操作装置１０は、表示面への接触を検知していない場合（ステップＳ２：Ｎｏ）、ステップＳ２の処理を繰り返す。
【００９９】
操作装置１０は、接触位置がオブジェクトの表示位置であると判定した場合（ステップＳ３：Ｙｅｓ）、接触に応じて信号を送信する（ステップＳ４）。例えば、操作装置１０は、接触位置に表示されたオブジェクトに対応する信号を便座装置２へ送信する。なお、操作装置１０は、ステップＳ４後、ステップＳ２に戻って処理を繰り返してもよい。
【０１００】
一方、操作装置１０は、接触位置がオブジェクトの表示位置でないと判定した場合（ステップＳ３：Ｎｏ）、信号を送信することなく処理を終了する。なお、操作装置１０は、ステップＳ２に戻って処理を繰り返してもよい。
【０１０１】
［第２の実施形態］
＜６．情報処理＞
操作装置は、図１に示す操作装置１０に限らず種々の対象であってもよい。例えば、操作装置１０Ａは、枠部に触覚記号を設け、その触覚記号の内容を示す点字が操作装置１０Ａの近傍に設けられてもよい。この点について、図６、図７を用いて説明する。なお、第１の実施形態に係る操作装置１０と同様の点については、適宜説明を省略する。
【０１０２】
図６の操作装置１０Ａは、表示部１３に操作画面が表示された状態を示す。図６に示すように、操作画面が表示された表示部１３には、図１と同様に、上側に情報表示エリアＣＴが配置され、オブジェクトＯＢ１〜ＯＢ７等が下側に配置される。
【０１０３】
ここで、操作装置１０Ａの枠部１９Ａには、表示部１３においてオブジェクトが表示された位置の近傍に、オブジェクトと関連する制御指示に関する触覚記号である物理的記号ＳＧ１１、ＳＧ１２が設けられる。図１の例では、枠部１９Ａには、複数の制御指示のうち、局部吐水の開始指示および停止指示を含む基本制御指示に関連するオブジェクトＯＢ１、ＯＢ２の近傍に物理的記号ＳＧ１１、ＳＧ１２が設けられる。すなわち、枠部１９Ａは、局部吐水の停止指示に関するオブジェクトＯＢ１の近傍に物理的記号ＳＧ１１を有する。例えば、物理的記号ＳＧ１１は、制御の停止に対応する触覚記号であってもよい。枠部１９Ａは、局部吐水の開始指示に関するオブジェクトＯＢ２の近傍に物理的記号ＳＧ２を有する。例えば、物理的記号ＳＧ１２は、制御の開始に対応する触覚記号であってもよい。
【０１０４】
このように、操作装置１０Ａは、局部吐水の基本制御である吐水停止のオブジェクトＯＢ１や吐水開始のオブジェクトＯＢ２に対応する物理的記号ＳＧ１１、ＳＧ１２を設ける。これにより、視覚障害者が手探り等により枠部１９Ａに接触した場合に、物理的記号ＳＧ１１、ＳＧ１２により表示部１３にどのような制御を実行されえるオブジェクトが含まれるかを把握することができる。したがって、操作装置１０Ａは、視覚障害者が表示面に接触することなく、表示面への接触により実行される制御を把握可能にすることができる。
【０１０５】
また、操作装置１０Ａが配置された近傍にオブジェクトと関連する制御指示を示す点字である物理的記号ＳＧ１、ＳＧ２が設けられる。図６の例では、物理的記号ＳＧ１は、壁面Ｗの領域ＷＡＲ１のうち物理的記号ＳＧ１１の近傍に設けられる。物理的記号ＳＧ１は、操作装置１０Ａの物理的記号ＳＧ１１が設けられた位置の下部に設けられる。また、物理的記号ＳＧ２は、領域ＷＡＲ１のうち物理的記号ＳＧ１２の近傍に設けられる。物理的記号ＳＧ２は、操作装置１０Ａの物理的記号ＳＧ１２が設けられた位置の下部に設けられる。例えば、物理的記号ＳＧ１は、オブジェクトＯＢ１に対応する制御内容を示す点字であってもよい。例えば、物理的記号ＳＧ２は、オブジェクトＯＢ２に対応する制御内容を示す点字であってもよい。これにより、操作装置１０Ａは、視覚障害者が表示面に接触することなく、表示面への接触により実行される制御をより正確に把握可能にすることができる。
【０１０６】
＜７．操作装置の機能構成＞
次に、第２の実施形態に係る情報処理を実行する操作装置１０Ａの構成について説明する。図７は、第２の実施形態に係る操作装置の機能構成の一例を示す図である。
【０１０７】
図７に示すように、操作装置１０Ａは、通信部１１と、入力部１２と、表示部１３と、記憶部１４と、制御部１５と、接触検知部１６と、音声出力部１７と、枠部１９Ａ（図６参照）とを有する。
【０１０８】
枠部１９Ａは、図３に示す枠部１９と同様に、表示部１３Ａの外形に応じた形状を有するフレームである。枠部１９Ａは、表示部１３Ａの外周を囲むフレームである。枠部１９Ａには、触覚記号が設けられる。そして、枠部１９Ａの近傍には、触覚記号に対応する点字が設けられる。
【０１０９】
［第３の実施形態］
＜８．情報処理＞
操作装置は、図１に示す操作装置１０に限らず種々の対象であってもよい。例えば、操作装置１０Ｂは、表示部１３Ｂに沿ってオブジェクトの表示位置を通る第１の方向に交差する位置や第１の方向と直交する第２の方向に交差する位置に物理的記号が設けられてもよい。この点について、図８、図９を用いて説明する。なお、第１の実施形態に係る操作装置１０と同様の点については、適宜説明を省略する。
【０１１０】
まず、第３の実施形態に係る操作装置において実行される情報処理の内容について図８を参照して説明する。図８は、第３の実施形態に係る操作装置の一例を示す図である。
【０１１１】
図８の操作装置１０Ｂは、表示部１３Ｂに操作画面が表示された状態を示す。操作画面には、種々の機能を実行するオブジェクトＯＢ２１〜ＯＢ２６が含まれる。なお、図８に示すオブジェクトＯＢ２１〜ＯＢ２６は、一例であり、オブジェクトＯＢ２１〜ＯＢ２６に限らず、種々のオブジェクトが含まれてもよい。また、図８の例では、オブジェクト間の関係性の説明のために、各機能のオブジェクトＯＢ２１〜ＯＢ２６を単純な矩形で示すが、各オブジェクトは、オブジェクトの選択に応じて実行される機能に応じて種々の表示態様であってもよい。
【０１１２】
図８に示す例においては、表示部１３Ｂに沿う方向のうち第１の方向に沿って３個のオブジェクトが配置される。例えば、第１の方向は、図８中の仮想線ＶＬ１に沿う方向である。具体的には、表示部１３Ｂの横方向である第１の方向に沿って、各段に３個のオブジェクトが配置される。例えば、オブジェクトＯＢ２１〜ＯＢ２３の３個のオブジェクトが第１の方向に沿って並べて配置される。また、オブジェクトＯＢ２１〜ＯＢ２３の下側には、オブジェクトＯＢ２４〜ＯＢ２６の３個のオブジェクトが第１の方向に沿って並べて配置される。このように、図８の表示部１３Ｂでは、２段に分けてオブジェクトＯＢ２１〜ＯＢ２６が表示される。
【０１１３】
また、図８に示す例においては、表示部１３Ｂに沿う方向のうち第１の方向に直交する第２の方向に沿って２個のオブジェクトが配置される。例えば、第２の方向は、図８中の仮想線ＶＬ２に沿う方向である。具体的には、表示部１３Ｂの縦方向である第２の方向に沿って、各列に２個のオブジェクトが配置される。例えば、オブジェクトＯＢ２１、ＯＢ２４の２個のオブジェクトが第２の方向に沿って並べて配置される。また、オブジェクトＯＢ２１、ＯＢ２４の右側には、オブジェクトＯＢ２２、ＯＢ２５の２個のオブジェクトが第２の方向に沿って並べて配置される。また、オブジェクトＯＢ２２、ＯＢ２５の右側には、オブジェクトＯＢ２３、ＯＢ２６の２個のオブジェクトが第２の方向に沿って並べて配置される。このように、図８の表示部１３Ｂでは、３列に分けてオブジェクトＯＢ２１〜ＯＢ２６が表示される。すなわち、図８の表示部１３Ｂでは、２段３列に分けてオブジェクトＯＢ２１〜ＯＢ２６が表示される。
【０１１４】
操作装置１０Ｂの枠部１９Ｂには、表示部１３Ｂに沿ってオブジェクトの表示位置を通る第１の方向に交差する位置に第１の物理的記号が設けられる。図８の例では、表示部１３Ｂに沿ってオブジェクトＯＢ２１〜ＯＢ２３の表示位置を通る仮想線ＶＬ１に交差する枠部１９Ｂの位置に物理的記号ＨＳ１が設けられる。また、表示部１３Ｂに沿ってオブジェクトＯＢ２４〜ＯＢ２６の表示位置を通る仮想線（図示省略）に交差する枠部１９Ｂの位置に物理的記号ＨＳ２が設けられる。具体的には、物理的記号ＨＳ１、ＨＳ２は、枠部１９Ａのうち左側部に設けられる。物理的記号ＨＳ１、ＨＳ２は、その記号の位置が何番目かを識別するための触覚記号等であってもよい。そして、操作装置１０Ｂにおいては、物理的記号ＨＳ１、ＨＳ２は、段を識別するための記号として機能する。なお、物理的記号ＨＳ１、ＨＳ２は、枠部１９Ａのうち右側部に設けられてもよい。
【０１１５】
また、操作装置１０Ｂの枠部１９Ｂには、表示部１３Ｂに沿ってオブジェクトの表示位置を通る第２の方向に交差する位置に第２の物理的記号が設けられる。図８の例では、表示部１３Ｂに沿ってオブジェクトＯＢ２１、ＯＢ２４の表示位置を通る仮想線ＶＬ２に交差する枠部１９Ｂの位置に物理的記号ＶＳ１が設けられる。また、表示部１３Ｂに沿ってオブジェクトＯＢ２２、ＯＢ２５の表示位置を通る仮想線（図示省略）に交差する枠部１９Ｂの位置に物理的記号ＶＳ２が設けられる。また、表示部１３Ｂに沿ってオブジェクトＯＢ２３、ＯＢ２６の表示位置を通る仮想線（図示省略）に交差する枠部１９Ｂの位置に物理的記号ＶＳ３が設けられる。具体的には、物理的記号ＶＳ１〜ＶＳ３は、枠部１９Ａのうち下部に設けられる。物理的記号ＶＳ１〜ＶＳ３は、その記号の位置が何番目かを識別するための触覚記号等であってもよい。そして、操作装置１０Ｂにおいては、物理的記号ＶＳ１〜ＶＳ３は、列を識別するための記号として機能する。なお、物理的記号ＶＳ１〜ＶＳ３は、枠部１９Ａのうち上部に設けられてもよい。
【０１１６】
このように、操作装置１０Ｂは、オブジェクトが配置された段を識別する物理的記号ＨＳ１、ＨＳ２と、オブジェクトが配置された列を識別する物理的記号ＶＳ１〜ＶＳ３を枠部１９Ｂに設ける。これにより、操作装置１０Ｂは、表示部１３Ｂにおけるオブジェクトの配置位置を視覚障害者に把握させることができる。これにより、操作装置１０Ｂは、視覚障害者が表示面に接触することなく、表示面への接触により実行される制御をより正確に把握可能にすることができる。
【０１１７】
また、操作装置１０Ｂが配置された近傍に、物理的記号ＨＳ１、ＨＳ２と物理的記号ＶＳ１〜ＶＳ３との組合せに対応する説明点字情報ＢＲ１が設けられる。図８の例では、説明点字情報ＢＲ１は、壁面Ｗの領域ＷＡＲ２のうち操作装置１０Ｂの左側部に設けられる。なお、説明点字情報ＢＲ１は、操作装置１０Ｂの近傍あれば、上下左右いずれの位置に設けられてもよい。
【０１１８】
説明点字情報ＢＲ１には、各段と各列との組み合わせ毎に対応する点字が含まれる。図９の例では、説明点字情報ＢＲ１には、１段１列に対応する点字である物理的記号ＥＳ１が含まれる。すなわち、説明点字情報ＢＲ１には、物理的記号ＨＳ１と物理的記号ＶＳ１との組合せに対応する物理的記号ＥＳ１が含まれる。物理的記号ＥＳ１は、物理的記号ＨＳ１を通る仮想線ＶＬ１と物理的記号ＶＳ１を通る仮想線ＶＬ２とが交差する位置にあるオブジェクトＯＢ２１に対応する点字である。物理的記号ＥＳ１には、オブジェクトＯＢ２１に対応する制御の内容を示す情報が含まれる。また、物理的記号ＥＳ１には、１段１列に対応することを示す情報が含まれてもよい。
【０１１９】
また、説明点字情報ＢＲ１には、１段２列に対応する点字である物理的記号ＥＳ２が含まれる。すなわち、説明点字情報ＢＲ１には、物理的記号ＨＳ１と物理的記号ＶＳ２との組合せに対応する物理的記号ＥＳ２が含まれる。物理的記号ＥＳ１は、物理的記号ＨＳ１を通る仮想線ＶＬ１と物理的記号ＶＳ２を通る仮想線（図示省略）とが交差する位置にあるオブジェクトＯＢ２２に対応する点字である。物理的記号ＥＳ２には、オブジェクトＯＢ２２に対応する制御の内容を示す情報が含まれる。また、物理的記号ＥＳ２には、１段２列に対応することを示す情報が含まれてもよい。説明点字情報ＢＲ１には、１段３列や２段１〜３列のそれぞれに対応する説明点字が含まれるが、図示を省略する。
【０１２０】
このように、操作装置１０Ｂは、枠部１９Ｂの右側部（縦フレーム）に設けた触覚記号と、枠部１９Ｂの下部（横フレーム）に設けた触覚記号とにより、制御指示の内容を使用者に伝える。図８の例では、操作装置１０Ｂは、枠部１９Ｂの右側部（縦フレーム）に設けた物理的記号ＨＳ１、ＨＳ２と、枠部１９Ｂの下部（横フレーム）に設けた物理的記号ＶＳ１〜ＶＳ３とにより、制御指示の内容を使用者に認識させることができる。これにより、操作装置１０Ｂは、視覚障害者が表示面に接触することなく、表示面への接触により実行される制御をより正確に把握可能にすることができる。
【０１２１】
なお、上記の物理的記号ＨＳ１、ＨＳ２、物理的記号ＶＳ１〜ＶＳ３は一例であり、操作装置１０Ｂにおいて、表示部１３Ｂに配置されたオブジェクトの位置が推定可能であれば、枠部１９Ｂには、任意の位置に任意の数の物理的記号が配置されてもよい。例えば、操作装置１０Ｂにおいて、枠部１９Ｂの上部、下部、右側部、左側部の各々に、物理的記号が配置されてもよい。
【０１２２】
＜９．操作装置の機能構成＞
次に、第３の実施形態に係る情報処理を実行する操作装置１０Ｂの構成について説明する。図９は、第３の実施形態に係る操作装置の機能構成の一例を示す図である。
【０１２３】
図９に示すように、操作装置１０Ｂは、通信部１１と、入力部１２と、表示部１３Ｂと、記憶部１４と、制御部１５と、接触検知部１６と、音声出力部１７と、枠部１９Ｂ（図８参照）とを有する。
【０１２４】
表示部１３Ｂは、図３に示す表示部１３と同様に各種情報を表示するための表示装置である。表示部１３Ｂは、オブジェクトを複数の段や複数の列に沿って配置して表示する。
【０１２５】
枠部１９Ｂは、図３に示す枠部１９と同様に、表示部１３Ｂの外形に応じた形状を有するフレームである。枠部１９Ｂは、表示部１３Ｂの外周を囲むフレームである。
【０１２６】
枠部１９Ｂには、表示部１３Ｂに沿ってオブジェクトの表示位置を通る第１の方向に交差する位置に第１の物理的記号が設けられる。枠部１９Ｂには、表示部１３Ｂに沿ってオブジェクトの表示位置を通り、第１の方向と直交する第２の方向に交差する位置に第２の物理的記号が設けられる。枠部１９Ｂには、組合せによりオブジェクトの制御内容を示す物理的記号と第２の物理的記号とが設けられる。枠部１９Ｂには、組合せによりオブジェクトの制御内容を示す触覚記号が設けられる。枠部１９Ｂの近傍には、組合せごとに対応する説明点字が設けられる。このように、枠部１９Ｂには、第１の方向に交差する位置に第１の物理的記号が設けられ、第２の方向に交差する位置に第２の物理記号が設けられる。なお、第１の物理記号の内容と第２の物理記号の内容とは同じであってもよい。
【０１２７】
＜１０．他の装置構成例＞
なお、装置構成は上記に限らず、種々の構成であってもよい。例えば、便座装置は、操作装置と一体であってもよい。図１０は、便座装置の他の構成の一例を示すブロック図である。なお、図４と同様の点については適宜説明を省略する。
【０１２８】
図１０に示すように、便座装置２Ａは、操作装置１０を含む。例えば、便座装置２Ａにおいて、操作装置１０は、本体部３に情報の送受信可能に接続される。例えば、操作装置１０は、本体部３と有線により接続されてもよいし、制御部３４に直接接続されてもよい。便座装置２Ａにおいて、操作装置１０は、着座部５の側部に配置されてもよい。なお、図１０に示す便座装置２Ａに含まれる操作装置は、操作装置１０に限らず、前述した操作装置１０Ａ、１０Ｂ等の操作装置であってもよい。また、上述したトイレシステム１には、便座装置２に替えて、便座装置２Ａが含まれてもよい。
【０１２９】
以下では、図１１〜図１５についての処理を操作装置１０が行う場合を一例として説明するが、図１１〜図１５に示す処理は、操作装置１０に限らず、前述した操作装置１０Ａ、１０Ｂ等の操作装置が行ってもよい。
【０１３０】
＜１１．操作装置の表示＞
なお、上記例では、操作装置１０が操作画面を表示する場合を示したが、操作装置１０は種々の画面を表示してもよい。この点について、図１１及び図１２を用いて説明する。図１１は、トイレシステムが実行する処理の手順の一例を示すフローチャートである。具体的には、図１１は、使用者の入室から操作画面の表示までにトイレシステム１が実行する処理の手順の一例を示すフローチャートである。図１２は、操作装置が実行する画面遷移の一例を示す図である。なお、図１２においては、操作装置１０に表示される画面に応じて、操作装置１０−１〜１０−４として説明するが、特に区別して説明を行う場合以外は、単に「操作装置１０」とする。図１２に示す操作装置１０−１は、使用者の入室を検知する前の待機画面の状態を示す。操作装置１０−１の待機画面は何も表示されていない状態であってもよい。
【０１３１】
図１１に示すように、トイレシステム１は、入室を検知した場合（ステップＳ１０１：Ｙｅｓ）、ウェルカム画面に表示を変更する（ステップＳ１０２）。例えば、便座装置２は、トイレルームＲ（図２参照）への使用者の入室を検知した場合、入室の検知を示す情報を操作装置１０に送信する。なお、入室の検知が可能であれば、どのような手段により検知が行われてもよく、操作装置１０が入室を検知してもよいし、トイレのドアセンサ等により、使用者の入室を検知してもよい。
【０１３２】
入室の検知を示す情報を取得した操作装置１０は、ウェルカム画面に表示を変更する。図１２の例では、操作装置１０は、操作装置１０−１の待機画面から、操作装置１０−２のウェルカム画面に表示を遷移させる。操作装置１０−２のウェルカム画面には、「Ｗｅｌｃｏｍｅ  ＸＸ  Ｔｏｉｌｅｔ」といった所定の情報が含まれる。例えば、トイレシステム１は、ウェルカム画面を表示する際に、「ようこそ、ＸＸトイレへ」といった所定の音声を出力してもよい。
【０１３３】
なお、トイレシステム１は、入室を検知していない場合（ステップＳ１０１：Ｎｏ）、ステップＳ１０１の処理を繰り返す。操作装置１０は、操作装置１０−１の待機画面の状態を継続する。
【０１３４】
そして、トイレシステム１は、ウェルカム画面の表示後に、ロック画面に表示を変更する（ステップＳ１０３）。ウェルカム画面を表示した操作装置１０は、ウェルカム画面の表示から所定の時間（例えば５秒や１０秒等の任意の時間）が経過した後、ロック画面に表示を変更する。図１２の例では、操作装置１０は、操作装置１０−２のウェルカム画面から、操作装置１０−３のロック画面に表示を遷移させる。操作装置１０−３のロック画面には、「Ｌｅｔ’s  ｔｒｙ」や「ロック解除」といった所定の情報が含まれる。
【０１３５】
なお、操作装置１０は、ロック画面の表示時において、便座装置２に対する制御指示に関連するオブジェクトの表示状態はいずれでもよい。例えば、操作装置１０は、オブジェクトを表示する場合、オブジェクトに触れられたとしても、信号（通信信号）を生成しなくてもよいし、信号（通信信号）を送信しなくてもよい。
【０１３６】
トイレシステム１は、ロック解除を検知した場合（ステップＳ１０４：Ｙｅｓ）、操作画面に表示を変更する（ステップＳ１０５）。図１２の例では、操作装置１０は、操作装置１０−３のロック画面から、操作装置１０−４の操作画面に表示を遷移させる。例えば、操作装置１０は、オブジェクトが配置される第１の領域やオブジェクトが配置されない第２の領域を含む操作画面を表示する。例えば、操作画面中の映像表示画面は操作可能であってもよいし、不可能であってもよい。なお、トイレシステム１は、ロック解除を検知しなかった場合（ステップＳ１０４：Ｎｏ）、ステップＳ１０３の処理を繰り返す。操作装置１０は、操作装置１０−３のロック画面の状態を継続する。
【０１３７】
例えば、トイレシステム１は、種々の態様により、ロック解除を受け付けてもよい。例えば、トイレシステム１は、操作装置１０に７種のタッチ操作（タップ、ダブルタップ、ロングタップ、ドラッグ、スワイプ、フリック、ピンチ）のいずれかにより解除されるロックオブジェクトを表示し、表示したロックオブジェクトによりロック解除を受け付けてもよい。また、トイレシステム１は、使用者の音声による指示でロック解除を受け付けてもよい。また、トイレシステム１は、便座装置２への着座をロック解除として検知してもよい。なお、上記のロック解除は一例であり、どのような手段によりロック解除が行われてもよい。ロック解除の他の例についての詳細は後述する。
【０１３８】
なお、図１２の例では、使用者の入室から操作画面の表示までの画面の遷移について図示したが、操作装置１０は、使用者のトイレの利用から退室までについても同様に画像を遷移させてもよい。
【０１３９】
例えば、操作画面の表示後において、操作装置１０は、使用者の退室の検知が行われた場合、操作画面から所定の画面（サンキュー画面）に表示を遷移する。サンキュー画面は、「Ｔｈａｎｋ  ｙｏｕ」といった所定の情報が含まれてもよい。また、トイレシステム１は、サンキュー画面を表示する際に、「ＸＸトイレのご利用ありがとうございました」といった所定の音声を出力してもよい。
【０１４０】
例えば、操作装置１０は、使用者の着座状態の解除が検知された場合、使用者の退室が行われるとして、サンキュー画面を表示してもよい。例えば、操作装置１０は、トイレのドアセンサ等により使用者のドアへの操作が検知された場合、サンキュー画面を表示してもよい。
【０１４１】
サンキュー画面を表示した操作装置１０は、サンキュー画面の表示から所定の時間（例えば３秒や１５秒等の任意の時間）が経過した後、待機画面に表示を変更する。
【０１４２】
＜１２．機能説明の動作例＞
操作装置１０は、オブジェクトの機能を説明する動画等を表示してもよい。この点について、図１３を用いて説明する。図１３は、操作装置が実行する機能説明の処理の手順の一例を示すフローチャートである。
【０１４３】
図１３の例では、操作装置１０は、操作画面を表示する（ステップＳ２０１）。例えば、操作装置１０は、使用者によるロック解除後において操作画面を表示する。
【０１４４】
図１３に示すように、操作装置１０は、機能説明オブジェクトに接触を検知していない場合（ステップＳ２０２：Ｎｏ）、操作装置１０が使用されることなく所定時間経過したかどうかを判定する（ステップＳ２０３）。例えば、操作装置１０は、操作画面が表示された時点または最後に操作装置１０が使用された時点から、操作装置１０が使用されることなく所定時間（例えば３０秒や１分等）経過したかどうかを判定する。
【０１４５】
操作装置１０は、操作装置１０が使用されることなく所定時間経過したと判定した場合（ステップＳ２０３：Ｙｅｓ）、機能説明の映像を表示する（ステップＳ２０４）。例えば、操作装置１０は、操作装置１０が使用されることなく所定時間経過したと判定した場合、所定の機能説明オブジェクトに対応するオブジェクトの機能を説明する動画を再生する。例えば、操作装置１０は、操作装置１０が使用されることなく所定時間経過したと判定した場合、ランダムに選択した機能説明オブジェクトに対応するオブジェクトの機能を説明する動画を再生する。
【０１４６】
一方、操作装置１０は、操作装置１０が使用されることなく所定時間経過していないと判定した場合（ステップＳ２０３：Ｎｏ）、ステップＳ２０２に戻って処理を繰り返す。
【０１４７】
また、操作装置１０は、機能説明オブジェクトに接触を検知した場合（ステップＳ２０２：Ｙｅｓ）、機能説明の映像を表示する（ステップＳ２０４）。例えば、操作装置１０は、機能説明オブジェクトに接触を検知した場合、その機能説明オブジェクトに対応するオブジェクトの機能を説明する動画を再生する。操作装置１０は、図１に示すオブジェクトＯＢ２〜ＯＢ４の右下に配置された機能説明オブジェクトＩＯ２〜ＩＯ４のいずれかに使用者が接触した場合、接触した機能説明オブジェクトに対応するオブジェクトの機能を説明する動画を情報表示エリアＣＴに表示（再生）する。例えば、操作装置１０は、機能説明オブジェクトＩＯ４に使用者が接触した場合、情報表示エリアＣＴにオブジェクトＯＢ４に関する機能説明のコンテンツを表示する。
【０１４８】
そして、操作装置１０は、他のオブジェクトに接触したか否かを判定する（ステップＳ２０５）。操作装置１０は、他のオブジェクトに接触していない場合（ステップＳ２０５：Ｎｏ）、機能説明オブジェクトに接触してから所定時間経過したかどうかを判定する（ステップＳ２０６）。例えば、操作装置１０は、機能説明オブジェクトＩＯ２〜ＩＯ４のいずれかに使用者が接触した時点または機能説明の映像の表示開始の時点から、所定時間（例えば機能説明の映像の再生時間等）経過したかどうかを判定する。
【０１４９】
操作装置１０は、機能説明オブジェクトに接触してから所定時間経過していないと判定した場合（ステップＳ２０６：Ｎｏ）、ステップＳ２０５に戻って処理を繰り返す。
【０１５０】
一方、操作装置１０は、機能説明オブジェクトに接触してから所定時間経過したと判定した場合（ステップＳ２０６：Ｙｅｓ）、機能説明の表示を終了する（ステップＳ２０７）。また、操作装置１０は、他のオブジェクトに接触したと判定した場合（ステップＳ２０５：Ｙｅｓ）、機能説明の表示を終了する（ステップＳ２０７）。そして、操作装置１０は、ステップＳ２０７後、ステップＳ２０１に戻って処理を繰り返す。なお、操作装置１０は、ステップＳ２０７後において操作画面の表示の変更が無い場合、ステップＳ２０２に戻って処理を繰り返してもよい。
【０１５１】
＜１３．ロックの解除例＞
操作装置１０は、種々の態様により使用者にロック解除を行わせてもよい。この点について、図１４を用いて説明する。図１４は、操作装置が実行するロック解除における画面遷移の一例を示す図である。
【０１５２】
図１４に示すように、操作装置１０は、使用者に２段階のロック解除操作を行わせてもよい。なお、図１４においては、操作装置１０に表示される画面に応じて、操作装置１０−３、１０−３１、１０−４として説明するが、特に区別して説明を行う場合以外は、単に「操作装置１０」とする。図１４に示す操作装置１０−３及び操作装置１０−４は、図１２に示す操作装置１０−３及び操作装置１０−４と同様である。
【０１５３】
図１４に示す操作装置１０−３には第１ロック画面が表示されており、表示部１３の領域ＡＲ３１には、使用者の接触をロック解除の操作として検知するオブジェクトＯＢ３１が表示される。操作装置１０は、オブジェクトＯＢ３１が表示された領域ＡＲ３１への使用者の接触を検知する（ステップＳ３１）。
【０１５４】
これにより、操作装置１０は、画面を遷移する（ステップＳ３２）。図１４の例では、操作装置１０は、操作装置１０−３の第１ロック画面から、操作装置１０−３１の第２ロック画面に表示を遷移させる。
【０１５５】
操作装置１０−３１の第２ロック画面には、表示部１３の領域ＡＲ３１とは異なる位置にある表示部１３の領域ＡＲ３２に、使用者によるロック解除の操作を確定するロック解除オブジェクトＯＢ３２が配置される。操作装置１０の表示部１３において、領域ＡＲ３１の範囲と領域ＡＲ３２の範囲とは重ならない。図１４の例では、操作装置１０−３１の第２ロック画面において、ロック解除オブジェクトＯＢ３２が配置される領域ＡＲ３２は、表示部１３の端部に配置される。これにより、操作装置１０は、全盲の人等の視覚障害者が操作装置１０を触って、意図せずにロック画面を解除してしまう可能性をさらに低減することができる。
【０１５６】
また、操作装置１０−３１の第２ロック画面には、「画面のスタートボタンにタッチしてロックを解除してください」といった使用者へロック解除方法を示す文字情報が表示される。これにより、操作装置１０は、健常者にはロック解除する方法を具体的に通知することができるため、健常者がロック画面を解除できない可能性を低減することができる。
【０１５７】
操作装置１０は、ロック解除オブジェクトＯＢ３２が表示された領域ＡＲ３２への使用者の接触を検知する（ステップＳ３３）。
【０１５８】
これにより、操作装置１０は、ロックを解除する（ステップＳ３４）。例えば、操作装置１０は、画面を遷移する。図１４の例では、操作装置１０は、操作装置１０−３１の第２ロック画面から、操作装置１０−４の操作画面に表示を遷移させる。
【０１５９】
＜１４．他の操作を利用したロックの解除例＞
操作装置１０は、使用者による他の操作をロック解除として受け付けてもよい。この点について、図１５を用いて説明する。図１５は、操作装置が実行するロック解除における画面遷移の他の一例を示す図である。
【０１６０】
図１５に示すように、操作装置１０は、使用者による言語選択をロック解除操作として受け付けてもよい。なお、図１５においては、操作装置１０に表示される画面に応じて、操作装置１０−３５、１０−３６、１０−４として説明するが、特に区別して説明を行う場合以外は、単に「操作装置１０」とする。図１５に示す操作装置１０−４は、図１２に示す操作装置１０−４と同様である。なお、図１５に示す操作装置１０−３５のロック画面（以下「第１ロック画面」ともいう）は、図１４に示す操作装置１０−３の第１ロック画面と、オブジェクトが言語選択のオブジェクトである点で相違する。例えば、図１５に示す言語選択のオブジェクトＯＢ７は、図１中のオブジェクトＯＢ７と同様であり、トイレの利用に関する情報を操作装置１０に表示したり音声出力したりする際の言語を選択するためのオブジェクトである。
【０１６１】
図１５に示す操作装置１０−３５には第１ロック画面が表示されており、表示部１３の領域ＡＲ３５には、使用者が言語選択を行うためのオブジェクトＯＢ７が表示される。操作装置１０は、オブジェクトＯＢ７が表示された領域ＡＲ３５への使用者の接触を検知する（ステップＳ３５）。
【０１６２】
これにより、操作装置１０は、選択可能言語を表示する（ステップＳ３６）。図１５の例では、操作装置１０は、操作装置１０−３５の第１ロック画面（第１言語選択画面）から、操作装置１０−３６の言語選択画面（以下「第２ロック画面」ともいう）に表示を遷移させる。なお、操作装置１０は、表示を遷移させることなく、言語選択オブジェクトＯＢ３６を表示させることにより、操作装置１０−３５の第１ロック画面（第１言語選択画面）から、操作装置１０−３６の第２ロック画面（第２言語選択画面）に表示を変更してもよい。
【０１６３】
操作装置１０−３６の第２ロック画面には、表示部１３の領域ＡＲ３５とは異なる位置にある表示部１３の領域ＡＲ３６に、使用者による一の言語の選択を受け付ける言語選択オブジェクトＯＢ３６が配置される。言語選択オブジェクトＯＢ３６には、「日本語」、「Ｅｎｇｌｉｓｈ」、「Ｆｒｅｎｃｈ」といった選択可能な言語の一覧が含まれる。操作装置１０の表示部１３において、領域ＡＲ３５の範囲と領域ＡＲ３６の範囲とは重ならない。これにより、操作装置１０は、使用者の言語選択の操作をロック解除の操作として受け付けることができるため、健常者の利便性の低下を抑制しつつ、全盲の人等の視覚障害者が操作装置１０を触って、意図せずにロックが解除される可能性をさらに低減することができる。
【０１６４】
操作装置１０は、言語選択オブジェクトＯＢ３６が表示された領域ＡＲ３６への使用者の接触を検知する（ステップＳ３７）。図１４の例では、操作装置１０は、言語選択オブジェクトＯＢ３６が表示された領域ＡＲ３６のうち、「Ｅｎｇｌｉｓｈ」への使用者の接触を検知する。
【０１６５】
これにより、操作装置１０は、ロックを解除する（ステップＳ３８）。例えば、操作装置１０は、選択された言語により情報が表示される画面に遷移する。図１５の例では、操作装置１０は、操作装置１０−３６の第２ロック画面から、英語で表記された操作装置１０−４の操作画面に表示を遷移させる。このように、操作装置１０は、使用者の言語選択の操作をロック解除の操作と同じ操作で受け付けることができるため、健常者の利便性を向上させつつ、視覚障害者が表示面に接触することなく、表示面への接触により実行される制御を把握可能にすることができる。なお、上述してきた各実施形態及び変形例は、処理内容を矛盾させない範囲で適宜組み合わせることが可能である。
【０１６６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１６７】
Ｒ  トイレルーム
１  トイレシステム
２  便座装置
３  本体部
３１  通信部
３２  人体検知部
３３  着座検知部
３４  制御部
４  便蓋
５  着座部
６  ノズル部
７  洋式大便器（便器）
８  ボウル部
９  リム部
１０  操作装置
１１  通信部
１２  入力部
１３  表示部
１３１  外周部
１４  記憶部
１５  制御部
１５１  取得部
１５２  判定部
１５３  生成部
１５４  送信部
１６  接触検知部
１７  音声出力部
１８  スイッチ部
１９  枠部
【図１】
2020119674.tif 000003
【図２】
2020119674.tif 000004
【図３】
2020119674.tif 000005
【図４】
2020119674.tif 000006
【図５】
2020119674.tif 000007
【図６】
2020119674.tif 000008
【図７】
2020119674.tif 000009
【図８】
2020119674.tif 000010
【図９】
2020119674.tif 000011
【図１０】
2020119674.tif 000012
【図１１】
2020119674.tif 000013
【図１２】
2020119674.tif 000014
【図１３】
2020119674.tif 000015
【図１４】
2020119674.tif 000016
【図１５】
2020119674.tif 000017
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
局部洗浄機能を有する便座装置が備えられたトイレルーム内に設置され、前記便座装置を操作するための操作装置であって、
前記操作装置は、
前記便座装置に対する制御指示に関連するオブジェクトが表示される表示部と、
前記表示部の外周に設けられる枠部と、
前記表示部に対する使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
を備え、
前記枠部には、
前記表示部において前記オブジェクトが表示された位置の近傍に、前記オブジェクトと関連する前記制御指示を示す触覚記号または点字である物理的記号が設けられ、
前記表示部は、
前記制御指示に関連する健常者用のオブジェクトと、該健常者用のオブジェクトとは別途に設けられた視覚障害者用のオブジェクトを表示すると共に、
さらに、前記表示部は、
前記枠部における前記物理的記号が設けられた位置からの距離が、前記健常者用のオブジェクトよりも近い位置に前記視覚障害者用のオブジェクトを配置することを特徴とする操作装置。
【請求項２】
前記表示部は、
前記便座装置に対する複数の制御指示の各々に対応する複数のオブジェクトを表示し、
前記枠部には、
前記複数の制御指示のうち、局部吐水の開始指示および停止指示を含む基本制御指示に関連する前記オブジェクトの近傍に前記物理的記号が設けられることを特徴とする請求項１に記載の操作装置。
【請求項３】
前記表示部は、
前記制御指示に関連する健常者用のオブジェクトに比して透明度が高い前記視覚障害者用のオブジェクトを表示することを特徴とする請求項１または請求項２に記載の操作装置。
【請求項４】
前記視覚障害者用のオブジェクトへの前記使用者の接触が前記接触検知部により検知された場合に、音声による前記使用者への所定の情報の通知を行うことを特徴とする請求項１〜３のいずれか１項に記載の操作装置。
【請求項５】
局部洗浄機能を有する便座装置が備えられたトイレルーム内に設置され、前記便座装置を操作するための操作装置であって、
前記操作装置は、
前記便座装置に対する制御指示に関連するオブジェクトが表示される表示部と、
前記表示部の外周に設けられる枠部と、
前記表示部に対する使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
を備え、
前記枠部には、
前記表示部に沿って前記オブジェクトの表示位置を通る第１の方向に交差する位置に触覚記号または点字である物理的記号が設けられ、
前記表示部は、
前記制御指示に関連する健常者用のオブジェクトと、該健常者用のオブジェクトとは別途に設けられた視覚障害者用のオブジェクトを表示すると共に、
さらに、前記表示部は、
前記枠部における前記物理的記号が設けられた位置からの距離が、前記健常者用のオブジェクトよりも近い位置に前記視覚障害者用のオブジェクトを配置することを特徴とする操作装置。
【請求項６】
前記枠部には、
前記第１の方向に交差する位置に第１の物理的記号と、前記表示部に沿って前記オブジェクトの表示位置を通る第２の方向に交差する位置に第２の物理的記号とが設けられることを特徴とする請求項５に記載の操作装置。
【請求項７】
前記枠部には、
組合せにより前記オブジェクトの制御内容を示す前記第１の物理的記号と前記第２の物理的記号とが設けられることを特徴とする請求項６に記載の操作装置。